(57)【特許請求の範囲】
【請求項１】
信号対干渉比（ＳＩＲ）を推定する方法であって、前記方法は、
信号を受信するステップであって、前記信号は変調されたシンボルを搬送し、雑音を含み、前記変調されたシンボルは、実数成分および虚数成分を有する複素表示にて表されることが可能である、受信するステップと、
前記信号にパイロット信号の複素共役を乗ずることにより前記信号のシンボル・エネルギーを実数成分に変換するステップであって、前記パイロット信号は実数成分および虚数成分を有する、変換するステップと、
変換の後に前記信号の前記実数成分から信号電力を計算するステップと、
変換の後に前記信号の前記虚数成分から雑音電力を計算するステップと、
前記信号電力を前記雑音電力により除することによって前記ＳＩＲを計算するステップと
を具備することを特徴とする方法。
【請求項２】
前記信号は、共通パイロット・チャンネル（ＣＰＩＣＨ）上で受信されることを特徴とする請求項１に記載の方法。
【請求項３】
前記信号は、個別物理制御チャンネル（ＤＰＣＣＨ）上で受信されることを特徴とする請求項１に記載の方法。
【請求項４】
雑音を含む個別物理制御チャンネル（ＤＰＣＣＨ）信号におけるＤＰＣＣＨパイロット・シンボルを受信するステップであって、前記ＤＰＣＣＨパイロット・シンボルは、実数成分および虚数成分を有する複素表示にて表される、受信するステップと、
前記ＤＰＣＣＨ信号に前記ＤＰＣＣＨパイロット・シンボルの複素共役を乗ずることにより、前記ＤＰＣＣＨ信号のＤＰＣＣＨシンボル・エネルギーを前記実数成分に変換するステップと、
変換の後に前記ＤＰＣＣＨパイロット・シンボルの前記実数成分からＤＰＣＣＨ信号電力を計算するステップと、
ＣＰＩＣＨ雑音電力にスケーリング・ファクターを乗じて、スケーリングされたＣＰＩＣＨ雑音電力を生成するステップであって、前記スケーリング・ファクターが、ＣＰＩＣＨ拡散率とＤＰＣＣＨ拡散率の比率である、生成するステップと、
前記ＤＰＣＣＨ信号電力を前記スケーリングされたＣＰＩＣＨ雑音電力により除することによってＤＰＣＣＨ  ＳＩＲを計算するステップと
をさらに具備することを特徴とする請求項３に記載の方法。
【請求項５】
前記パイロット信号は前記受信された信号の推定であることを特徴とする請求項１に記載の方法。
【請求項６】
前記シンボルは４位相偏移変調（ＱＰＳＫ）に従って変調されることを特徴とする請求項１に記載の方法。
【請求項７】
信号対干渉比（ＳＩＲ）を推定するための装置であって、前記装置は、
信号を受信するように構成されている受信機であって、前記信号は変調されたシンボルを搬送し、雑音を含み、前記変調されたシンボルは、実数成分および虚数成分を有する複素表示にて表されることが可能である、受信機と、
前記信号にパイロット信号の複素共役を乗ずることによって前記信号のシンボル・エネルギーを実数成分に変換するように構成されている乗算器であって、前記パイロット信号は実数成分および虚数成分を有する、乗算器と、
変換の後に前記信号の前記実数成分から信号電力を計算するように構成されている第１の電力計算ユニットと、
変換の後に前記信号の前記虚数成分から雑音電力を計算するように構成されている第２の電力計算ユニットと、
前記信号電力を前記雑音電力により除して前記ＳＩＲを計算するように構成されている除算器と
を具備することを特徴とする装置。
【請求項８】
前記信号は、共通パイロット・チャンネル（ＣＰＩＣＨ）上で受信されることを特徴とする請求項７に記載の装置。
【請求項９】
前記信号は、個別物理制御チャンネル（ＤＰＣＣＨ）上で受信されることを特徴とする請求項７に記載の装置。
【請求項１０】
前記受信機は、雑音を含む個別物理制御チャンネル（ＤＰＣＣＨ）信号におけるＤＰＣＣＨパイロット・シンボルを受信するようにさらに構成されており、前記ＤＰＣＣＨパイロット・シンボルが、実数成分および虚数成分を有する複素表示にて表され、
前記装置はさらに、
前記ＤＰＣＣＨ信号に前記ＤＰＣＣＨパイロット・シンボルの複素共役を乗ずることによって、前記ＤＰＣＣＨ信号のＤＰＣＣＨシンボル・エネルギーを前記実数成分に変換するように構成されている第２の乗数器と、
変換の後に前記ＤＰＣＣＨ信号の前記実数成分からＤＰＣＣＨ信号電力を計算するように構成されている第３の電力計算ユニットと、
ＣＰＩＣＨ雑音電力にスケーリング・ファクターを乗じて、スケーリングされたＣＰＩＣＨ雑音電力を生成するように構成されている第３の乗算器であって、前記スケーリング・ファクターがＣＰＩＣＨ拡散率とＤＰＣＣＨ拡散率の比率である、第３の乗算器と、
前記ＤＰＣＣＨ信号電力を前記スケーリングされたＣＰＩＣＨ雑音電力により除することによってＤＰＣＣＨ  ＳＩＲを計算するように構成されている第２の除算器と
を備える
ことを特徴とする請求項８に記載の装置。
【請求項１１】
前記装置は無線送受信ユニットとして構成されていることを特徴とする請求項７に記載の装置。
【請求項１２】
前記パイロット信号は前記受信された信号の推定であることを特徴とする請求項７に記載の装置。
【請求項１３】
前記シンボルは４位相偏移変調（ＱＰＳＫ）に従って変調されることを特徴とする請求項７に記載の装置。
【請求項１４】
変換の後に前記信号の前記実数成分から信号電力を計算する前記ステップは、変換の後に前記信号の前記実数成分をフィルターすること、及び前記信号の前記フィルターされた実数成分から前記信号電力を計算すること、を含み、
変換の後に前記信号の前記虚数成分から雑音電力を計算する前記ステップは、変換の後に前記信号の前記虚数成分をフィルターすること、及び前記信号の前記フィルターされた虚数成分から前記雑音電力を計算すること、を含み、前記雑音電力は、前記雑音が前記信号の前記実数成分と前記虚数成分との間で一様に分布されると仮定して計算される、
ことを特徴とする請求項１に記載の方法。
【請求項１５】
無線送受信ユニットによって実行される、請求項１に記載の方法。
【請求項１６】
基地局によって実行される、請求項１に記載の方法。
【請求項１７】
前記パイロット信号は、雑音による影響を受けない前記受信された信号を表すことを特徴とする請求項１に記載の方法。
【請求項１８】
前記シンボルは、２位相偏移変調（ＢＰＳＫ）に従って変調されることを特徴とする請求項１に記載の方法。
【請求項１９】
前記第１の電力計算ユニットは、変換の後に前記信号の前記実数成分をフィルターし、及び前記信号の前記フィルターされた実数成分から前記信号電力を計算する、ように構成され、
前記第２の電力計算ユニットは、変換の後に前記信号の前記虚数成分をフィルターし、及び前記信号の前記フィルターされた虚数成分から前記雑音電力を計算する、ように構成され、前記雑音電力は、前記雑音が前記信号の実数成分と虚数成分との間で一様に分布されると仮定して計算される、
ことを特徴とする請求項７に記載の装置。
【請求項２０】
基地局として構成される、請求項７に記載の装置。
【請求項２１】
前記パイロット信号は、雑音による影響を受けない前記受信された信号を表すことを特徴とする請求項７に記載の装置。
【請求項２２】
前記シンボルは、２位相偏移変調（ＢＰＳＫ）に従って変調されることを特徴とする請求項７に記載の装置。
【発明の詳細な説明】
【技術分野】
【０００１】
この出願は、無線通信を含むデジタル通信に関する。
【背景技術】
【０００２】
ＣＤＭＡ（Ｃｏｄｅ  Ｄｉｖｉｓｉｏｎ  Ｍｕｌｔｉｐｌｅ  Ａｃｃｅｓｓ：符号分割多元接続）無線システムにおいては、ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）および基地局（ｂａｓｅ  ｓｔａｔｉｏｎ）により共通的に共有される周波数リソースを効率的に利用するために正確な電力制御が重要である。システム容量はシステムにおける干渉の量に高度に関連しているため、電力が最適に制御された場合にシステム容量は増加する。
【０００３】
Ｗ（Ｗｉｄｅｂａｎｄ：広帯域）ＣＤＭＡシステムにおいては、送信電力制御のために閉ループ電力制御が採用される。閉ループ電力制御は、ＳＩＲ（Ｓｉｇｎａｌ−ｔｏ−Ｉｎｔｅｒｆｅｒｅｎｃｅ  Ｒａｔｉｏ：信号対干渉比）の測定に基づく。測定されたＳＩＲは基準ＳＩＲと比較され、このＳＩＲ比較に基づき送信電力制御コマンドが発生される。したがってＳＩＲ推定の精度が、送信電力制御の安定性および精度、ならびにシステム容量に大いに影響する。従来の統計的分散に基づく推定機構は合理的なＳＩＲ推定をするためにより多くのパイロット・シンボルを必要とし、このことがチャンネルの変動に対する応答を遅らせる。パイロット・シンボルの送信数が少ない場合に、これは特に当てはまる。
【発明の概要】
【課題を解決するための手段】
【０００４】
ＳＩＲ（Ｓｉｇｎａｌ−ｔｏ−Ｉｎｔｅｒｆｅｒｅｎｃｅ  Ｒａｔｉｏ：信号対干渉比）を推定するための方法および装置が開示される。受信される信号には、複数の基底関数に関する信号エネルギーが含まれる。受信された信号中の対象とする信号エネルギーは、一定の極性を有する第１の基底関数に変換される。その対象とする信号エネルギーは、第１の基底関数に関する信号エネルギーをコヒーレントに平均化することによって予測される。雑音電力は、第１の基底関数以外のそれぞれの基底関数に関する信号エネルギーを平均化し、さらに第１の基底関数以外の基底関数からの平均化された信号エネルギーを累積し、そして第１の基底関数からの雑音推定を評価するためにその累積された信号エネルギーを換算することによって推定される。対象とする信号エネルギーをこの雑音電力によって除することによって、ＳＩＲが推定される。
【０００５】
ＷＣＤＭＡシステムにおいては、受信されたＣＰＩＣＨ（Ｃｏｍｍｏｎ  ＰＩｌｏｔ  ＣＨａｎｎｅｌ：共通パイロット・チャンネル）パイロット・シンボルをＣＰＩＣＨパイロット・シンボルの共役複素数に乗ずることによって、ＣＰＩＣＨパイロット・シンボル・エネルギーが実数部に変換され、そして変換の後に、実数部からＣＰＩＣＨ信号電力を推定することができ、虚数部からＣＰＩＣＨ雑音電力を推定することができる。ＣＰＩＣＨ  ＳＩＲは次に、ＣＰＩＣＨ信号電力をＣＰＩＣＨ雑音電力により除することによって計算される。
【０００６】
ＤＰＣＣＨ（Ｄｅｄｉｃａｔｅｄ  Ｐｈｙｓｉｃａｌ  Ｃｏｎｔｒｏｌ  ＣＨａｎｎｅｌ：個別物理制御チャンネル）のパイロット・シンボル・エネルギーを実数部に変換することができ、そして変換の後にＤＰＣＣＨパイロット・シンボルの実数部からＤＰＣＣＨ信号電力を計算することができる。ＣＰＩＣＨ拡散率（ｓｐｒｅａｄｉｎｇ  ｆａｃｔｏｒ）およびＤＰＣＣＨ拡散率の比である換算率（ｓｃａｌｉｎｇ  ｆａｃｔｏｒ）により、ＣＰＩＣＨ雑音電力を換算することができる。そしてＤＰＣＣＨ  ＳＩＲは、ＤＰＣＣＨ信号電力を換算されたＣＰＩＣＨ雑音電力により除することによって計算される。
【図面の簡単な説明】
【０００７】
添付図面に関連して例として与えられた以下の説明から、より詳細な理解を得ることができる。
【図１】一実施形態によるＳＩＲを推定するための処理のフロー図である。
【図２】一実施形態によるＷＣＤＭＡに対するＣＰＩＣＨ  ＳＩＲを推定するための装置の一例のブロック図である。
【図３】第１の実施形態による静的かつ平坦（ｆｌａｔ）なフェージング・チャンネル状態における、ＣＰＩＣＨ  ＳＩＲ測定の性能を示す図である。
【図４】別の実施形態によるＤＰＣＣＨ  ＳＩＲを推定するための装置の一例のブロック図である。
【図５】第２の実施形態によるＣＰＩＣＨ雑音推定を使用するＤＰＣＣＨ  ＳＩＲ推定の性能を示す図である。
【発明を実施するための形態】
【０００８】
ＳＩＲのポスト検出測定のための実施形態が開示される。開示される実施形態は、フェージングのおよび静的なチャンネルの両方に対するＳＩＲを正確に測定するために使用することができ、広範囲な速度およびデジタル変調方式に関してＳＩＲを追跡することができる。ここに開示される装置および方法は、ＷＴＲＵまたは基地局において実施することができる。用語「ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）」は、限定的ではなく、ＵＥ（Ｕｓｅｒ  Ｅｑｕｉｐｍｅｎｔ：ユーザー機器）、移動体端末、固定型または移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する能力のある他の如何なる種別のユーザー・デバイスをも含む。用語「基地局（ｂａｓｅ  ｓｔａｔｉｏｎ）」は、限定的ではなく、ノードＢ（Ｎｏｄｅ−Ｂ）、サイト制御装置、ＡＰ（Ａｃｃｅｓｓ  Ｐｏｉｎｔ：アクセス・ポイント）、または無線環境において動作する能力のある他の如何なる種別のインターフェイス・デバイスをも含む。
【０００９】
デジタル変調された信号は、一式の正規直交信号波形または基底関数の線形結合として表すことができる。例えばＢＰＳＫ（Ｂｉｎａｒｙ  Ｐｈａｓｅ  Ｓｈｉｆｔ  Ｋｅｙｉｎｇ：２相位相変調）またはＰＡＭ（Ｐｕｌｓｅ  Ａｍｐｌｉｔｕｄｅ  Ｍｏｄｕｌａｔｉｏｎ：パルス振幅変調）にて変調された波形は：
【００１０】
【数１】
0005564438.tif 000002
【００１１】
の形式の一つの基底関数を使用して表すことができる。ここで、Ｅgはパルス波形のエネルギーを表し、ｇ（ｔ）はパルス波形であり、そしてｆcが搬送波周波数である。
【００１２】
同様に、ＱＡＭ（Ｑｕａｄｒａｔｕｒｅ  Ａｍｐｌｉｔｕｄｅ  Ｍｏｄｕｌａｔｉｏｎ：直交振幅変調）およびＭＰＳＫ（Ｍ−Ｐｈａｓｅ  Ｓｈｉｆｔ  Ｋｅｙｉｎｇ：Ｍ位相変調）にて変調された波形は：
【００１３】
【数２】
0005564438.tif 000003
【００１４】
の形式の２つの基底関数を使用して表すことができる。
【００１５】
ｋ番目のシンボル期間の間に受信される信号波形は：
【００１６】
【数３】
0005564438.tif 000004
【００１７】
の如く表すことができる。ここで、ｎ（ｔ）は雑音および干渉過程を表し、そしてＮは変調された信号を表すために必要な正規直交波形の数であり、そしてｓknはｋ番目に送信されたシンボルの基底関数ｆn（ｔ）へのベクトル射影を表す。
【００１８】
図１は、一実施形態によるＳＩＲを推定するための処理１００のフロー図である。受信されたシンボルに関する先験的な知識（例えばパイロット・シンボル）、または送信されたシンボルの推定（すなわちブラインド（ｂｌｉｎｄ）推定）を使用して、複数の基底関数からの対象とする信号エネルギー（すなわち１式の正規直交信号波形）が一定の極性を有する一つの基底関数に変換される（ステップ１０２）。一般性を失うことなく、すべての信号エネルギーが基底関数ｆ1（ｔ）に射影されると仮定される。理想的な状況において、この変換は対象とする信号がｆ1（ｔ）のみに集約され、そして他の基底関数への射影は純粋に雑音および干渉を含むことを意味するであろう。
【００１９】
変換の後、対象とする信号エネルギーはｆ1（ｔ）への射影をコヒーレントに平均化し、続いて二乗操作することにより推定される（ステップ１０４）。雑音電力は、ｆ1（ｔ）以外の基底関数への射影の二乗を平均化することによって推定される（ステップ１０６）。これは、ｆ1（ｔ）以外のそれぞれの基底関数に関する平均化された雑音推定をもたらすであろう。最終的な雑音電力推定は、それぞれの基底関数からの雑音推定を累積し、ｆ1（ｔ）から除外されている雑音推定を評価するために換算操作することにより獲得される（ステップ１０８）。
【００２０】
図２は、第１の実施形態によるＷＣＤＭＡに対するＣＰＩＣＨ  ＳＩＲを推定するための装置例２００のブロック図である。ＷＣＤＭＡシステムにおけるＣＰＩＣＨ  ＳＩＲのこの推定は一例として提供されるものであること、およびこの装置および方法は、何れの無線通信システムに対しても任意のチャンネル(例えばＤＰＣＣＨ（Ｄｅｄｉｃａｔｅｄ  Ｐｈｙｓｉｃａｌ  Ｃｏｎｔｒｏｌ  ＣＨａｎｎｅｌ：個別物理制御チャンネル））上のＳＩＲを推定するために使用することができること、が注意されるべきである。
【００２１】
装置２００には、複素共役ユニット２０２、乗算器２０４、分離器（ｄｅ−ｍｕｌｔｉｐｌｅｘｅｒ）２０６、第１フィルター２０８、第１電力計算ユニット２１０、第２電力計算ユニット２１２、第２フィルター２１４、および除算器２１６が含まれる。装置２００は、ＣＰＩＣＨパイロット・シンボル信号系列を受信する。ＷＣＤＭＡにおけるＣＰＩＣＨパイロット・シンボルは、ＱＰＳＫ（Ｑｕａｄｒａｔｕｒｅ  Ｐｈａｓｅ  Ｓｈｉｆｔ  Ｋｅｙｉｎｇ：４相位相変調）にて変調され、そして式（２）によって定義される２つの基底関数への受信された信号の射影を表す、実数および虚数成分を有する複素表示にて表すことができる。受信されたＣＰＩＣＨパイロット・シンボルにそのＣＰＩＣＨパイロット・シンボルの複素共役を乗ずることによって、ＣＰＩＣＨパイロット・シンボルの全ての信号エネルギーを実数軸に変換することができる。
【００２２】
ＣＰＩＣＨパイロット・シンボルの複素共役（すなわちユニット・フェーザー（ｕｎｉｔ  ｐｈａｓｏｒ））は、複素共役ユニット２０２により発生され、そして受信されたＣＰＩＣＨパイロット・シンボルに対して乗算器２０４によって乗ぜられる。実数部および虚数部は次に、分離器２０６によって乗算結果から切り離される。
【００２３】
理想状態下においては変換の後に、対象とする信号エネルギーは実数部分に集約され、そして虚数部分は純粋に干渉を含む。次に実数部値は第１フィルター２０８によってフィルターされる。第１電力計算ユニット２１０がＣＰＩＣＨ信号電力推定を計算する。
【００２４】
実数および虚数部の間で雑音が均等に分布すると仮定して、第２電力計算ユニット２１２が虚数部を二乗し、そして次にそれを率２により換算する。第２電力計算ユニット２１２からの出力は次に、第２フィルター２１４によりフィルターされ、ＣＰＩＣＨ雑音電力推定を獲得する。除算器２１６によって、ＣＰＩＣＨ信号電力推定をＣＰＩＣＨ雑音電力推定により除することによって、ＣＰＩＣＨ  ＳＩＲを獲得する。
【００２５】
ＱＰＳＫ変調と同様にＱＡＭ変調をもまた、２つの基底関数により表すことができる。ＱＡＭ変調されたシンボルのＳＩＲを推定するために装置２００を使用することができる。送信されたＱＡＭシンボルは、先験的に知られるか、または推定されるかの何れかであるべきである。ＤＰＣＣＨパイロット・シンボルを使用してＤＰＣＣＨのＳＩＲを推定するために装置２００を使用することができる。
【００２６】
図３は、静的かつ平坦なフェージング・チャンネル状態における、ＣＰＩＣＨ  ＳＩＲ測定の性能を示す。これらの結果は、０．９９６に極（ｐｏｌｅ）を有する指数移動平均化フィルターにより発生されている。結果は、広範囲なＳＩＲ値に対する静的およびフェージング状態の両方において良好な一致を示す。このＳＩＲ推定方法は、非常に低いＳＩＲ値に対して信頼できる推定となることが判明している。
【００２７】
このアプローチの主な利点の１つは、信号エネルギーおよび雑音エネルギーをそれぞれに独立に測定することができるという事実である。このことは、超低次帯域幅フィルターの使用により最終的な推定の精度を改良することを可能にする。統計的分散測定に基づく従来の方法では、特にフェージングのチャンネル状態に対して低次帯域幅フィルターを使用している場合に極端な不正確性に悩まされる。超低次帯域幅を使用している、言い換えれば長い期間に亘って拡散された多くのデータを使用している場合には、統計的分散に基づく雑音推定はドップラー効果の故に、信号の変動から雑音の変動を正確に区別することができない。
【００２８】
図４は、第２の実施形態によるＤＰＣＣＨ  ＳＩＲを推定するための装置例４００のブロック図である。ＷＣＤＭＡシステムにおいては、効率的な電力制御動作のためにタイム・スロットごとのＤＰＣＣＨ  ＳＩＲの正確な推定が必要である。しかしながらＳＩＲ推定をするために利用可能なＤＰＣＣＨパイロット・シンボルの数は制限されており、ＳＩＲ推定においてより大きな分散をもたらす。以下に説明される方法は、タイム・スロットごとのＤＰＣＣＨ  ＳＩＲを測定するためにＣＰＩＣＨ雑音推定を利用することによって、この問題を軽減する。
【００２９】
ＷＣＤＭＡシステムにおいては、ＣＰＩＣＨは常時連続的に送信されており、上で開示された第１の実施形態を使用して、その信号および雑音の推定の信頼できる推定をするためにこれを使用することができる。信頼できるチャンネル推定の可用性を仮定すると、異なった拡散率のチャンネル上にて観測される雑音は、それらの個々の拡散率に反比例した値を取ることを示すことができる。この事実は、ＤＰＣＣＨ  ＳＩＲのより正確な推定をするために利用される。
【００３０】
装置４００には、複素共役ユニット４０２、乗算器４０４、分離器４０６、累算器（ａｃｃｕｍｕｌａｔｏｒ）４０８、電力計算ユニット４１０、換算（ｓｃａｌｉｎｇ）ユニット４１２、および除算器４１４が含まれる。装置４００は、ＤＰＣＣＨパイロット・シンボル信号系列を受信する。ＤＰＣＣＨパイロット・シンボルは、ＱＰＳＫ（Ｑｕａｄｒａｔｕｒｅ  Ｐｈａｓｅ  Ｓｈｉｆｔ  Ｋｅｙｉｎｇ：４相位相変調）にて変調され、そして式（２）によって定義される２つの基底関数への受信された信号の射影を表す、実数および虚数成分を有する複素表示にて表すことができる。受信されたＤＰＣＣＨパイロット・シンボル信号系列にそのＤＰＣＣＨパイロット・シンボル信号系列の複素共役を乗ずることによって、ＤＰＣＣＨパイロット・シンボルの全ての信号エネルギーを実数軸に変換することができる。
【００３１】
ＤＰＣＣＨパイロット・シンボルの複素共役（すなわちユニット・フェーザー）は、複素共役ユニット４０２により発生され、そして受信されたＤＰＣＣＨパイロット・シンボルに対して乗算器４０４によって乗ぜられる。実数部および虚数部は次に、分離器４０６によって乗算結果から切り離される。
【００３２】
変換の後にＤＰＣＣＨ信号エネルギーは実数部に集約される。実数部の値は、累算器４０８により累積することができ、そして累積された値は電力計算ユニット４１０によって二乗されて、ＤＰＣＣＨ信号電力推定を計算する。
【００３３】
ＣＰＩＣＨ雑音電力推定は、上で開示された処理２００か、または何れか他の方法を使用して推定することができる。ＣＰＩＣＨ雑音電力推定は、ＤＰＣＣＨの拡散率およびＣＰＩＣＨの拡散率の比率の換算率により換算ユニット４１２によって換算される。除算器４１４によりＤＰＣＣＨ信号電力推定を換算されたＣＰＩＣＨ雑音電力推定により除することによって、ＤＰＣＣＨ  ＳＩＲ推定を獲得する。
【００３４】
図５は、第２の実施形態によるＣＰＩＣＨ雑音推定を使用したＤＰＣＣＨ  ＳＩＲ推定の性能を示す。この結果は、０．９７５に極を有する、ＣＰＩＣＨ雑音推定のための単一極のＥＷＭＡ（Ｅｘｐｏｎｅｎｔｉａｌｌｙ  Ｗｅｉｇｈｔｅｄ  Ｍｏｖｉｎｇ  Ａｖｅｒａｇｅ：指数的重み付き移動平均）フィルターを使用して発生している。結果は、広範囲なＳＩＲシナリオに対して良好な一致を示すことが観測されている。
【００３５】
ＣＰＩＣＨおよびＤＰＣＣＨの両方が同一のスクランブリング符号（ｓｃｒａｍｂｌｉｎｇ  ｃｏｄｅ）を使用している場合に、ＣＰＩＣＨ雑音推定を使用するＤＰＣＣＨ  ＳＩＲ推定は正確な推定をもたらすであろう。しかしながらＤＰＣＣＨが異なったスクランブリング符号による場合がある。この場合には、ＤＰＣＣＨパイロット・シンボルを使用して測定された雑音電力推定を使用することが、より適切である。ＤＰＣＣＨ雑音推定は、上の第１の実施形態を使用して推定することができる。
【００３６】
実施形態の主な利点の１つは、信号エネルギーおよび雑音エネルギーをそれぞれに独立に測定することができるということである。このことは、超低次帯域幅フィルターの使用により最終的な推定の精度を改良することを可能にする。信号および雑音測定のために別々のフィルターを持つことによって、２つのフィルターの帯域幅を、それらの変動の率（ｒａｔｅ）に従ってそれぞれのフィルターが調整されるように、独立に制御することができる。例えばＣＤＭＡ（Ｃｏｄｅ  Ｄｉｖｉｓｉｏｎ  Ｍｕｌｔｉｐｌｅ  Ａｃｃｅｓｓ：符号分割多元接続）システムにおいては、ドップラーに依存して、雑音および干渉は信号より遥かにゆっくりと変動する。したがってより良い推定をもたらすために、雑音測定に対してより低次の帯域幅フィルターを使用することができる。
【００３７】
実施形態
１．  ＳＩＲを推定する方法。
【００３８】
２．  信号を受信するステップであって、前記信号が、複数の基底関数に関する信号エネルギーを含むことを具備する実施形態１の方法。
【００３９】
３．  対象とする信号エネルギーを一定の極性を有する第１の基底関数に変換するステップを具備する実施形態２の方法。
【００４０】
４．  前記第１の基底関数に関する信号エネルギーをコヒーレントに平均化することによって前記対象とする信号エネルギーを推定するステップを具備する実施形態３の方法。
【００４１】
５．  前記第１の基底関数以外のそれぞれの基底関数に関する信号エネルギーを平均化すること、および前記第１の基底関数以外の基底関数からの前記平均化した信号エネルギーを累積すること、ならびに前記第１の基底関数からの雑音推定を評価するために前記累積された信号エネルギーを換算することによって雑音電力を推定するステップを具備する実施形態３〜４の何れかにおけるような方法。
【００４２】
６．  ＳＩＲを計算するために前記対象とする信号エネルギーを前記雑音電力により除するステップを具備する実施形態５の方法。
【００４３】
７．  ＳＩＲを推定する方法。
【００４４】
８．  パイロット・シンボルを受信するステップであって、前記パイロット・シンボルが、実数部および虚数部を有する複素表示にて表されることを具備する実施形態７の方法。
【００４５】
９．  パイロット・シンボルの複素共役に前記受信されたパイロット・シンボルを乗ずることにより前記実数部にパイロット・シンボル・エネルギーを変換するステップを具備する実施形態８の方法。
【００４６】
１０．  変換の後に前記パイロット・シンボルの前記実数部から信号電力を計算するステップを具備する実施形態９の方法。
【００４７】
１１．  変換の後に前記パイロット・シンボルの前記虚数部から雑音電力を計算するステップを具備する実施形態１０の方法。
【００４８】
１２．  前記信号電力を前記雑音電力により除することによってＳＩＲを計算するステップを具備する実施形態１１の方法。
【００４９】
１３．  前記実数部および前記虚数部の間に雑音が均等に分布すると仮定して、前記雑音電力が計算される実施形態１１〜１２の何れかにおけるような方法。
【００５０】
１４．  前記パイロット・シンボルが、ＣＰＩＣＨパイロット・シンボルである実施形態８〜１３の何れかにおけるような方法。
【００５１】
１５．  前記パイロット・シンボルが、ＤＰＣＣＨパイロット・シンボルである実施形態８〜１３の何れかにおけるような方法。
【００５２】
１６．  ＤＰＣＣＨパイロット・シンボルを受信するステップであって、前記ＤＰＣＣＨパイロット・シンボルが、実数部および虚数部を有する複素表示にて表されることをさらに具備する実施形態７〜１５の何れかにおけるような方法。
【００５３】
１７．  ＤＰＣＣＨパイロット・シンボルの複素共役に受信されたＤＰＣＣＨパイロット・シンボルを乗ずることによりＤＰＣＣＨシンボル・エネルギーを前記実数部に変換するステップを具備する実施形態１６の方法。
【００５４】
１８．  変換の後に前記ＤＰＣＣＨパイロット・シンボルの前記実数部からＤＰＣＣＨ信号電力を計算するステップを具備する実施形態１７の方法。
【００５５】
１９．  前記ＣＰＩＣＨ雑音電力に換算率を乗ずるステップであって、前記換算率が、ＣＰＩＣＨ拡散率およびＤＰＣＣＨ拡散率の比率であることを具備する実施形態１４〜１８の何れかにおけるような方法。
【００５６】
２０．  前記ＤＰＣＣＨ信号電力を前記換算されたＣＰＩＣＨ雑音電力により除することによってＤＰＣＣＨ  ＳＩＲを計算するステップを具備する実施形態１９の方法。
【００５７】
２１．  ＳＩＲを推定するための装置。
【００５８】
２２．  パイロット・シンボルを受信するための受信機であって、前記パイロット・シンボルが、実数部および虚数部を有する複素表示にて表されることを具備する実施形態２１の装置。
【００５９】
２３．  パイロット・シンボルの複素共役に前記受信されたパイロット・シンボルを乗ずることによってパイロット・シンボル・エネルギーを前記実数部に変換するための乗算器を具備する実施形態２２の装置。
【００６０】
２４．  変換の後に前記パイロット・シンボルの前記実数部から信号電力を計算するための第１の電力計算ユニットを具備する実施形態２３の装置。
【００６１】
２５．  変換の後に前記パイロット・シンボルの前記虚数部から雑音電力を計算するための第２の電力計算ユニットを具備する実施形態２３〜２４の何れかにおけるような装置。
【００６２】
２６．  ＳＩＲを計算するために前記信号電力を前記雑音電力により除するための除算器を具備する実施形態２５の装置。
【００６３】
２７．  前記実数部および前記虚数部の間に雑音が均等に分布すると仮定して、前記雑音電力が計算される実施形態２５〜２６の何れかにおけるような装置。
【００６４】
２８．  前記パイロット・シンボルがＣＰＩＣＨパイロット・シンボルである実施形態２２〜２７の何れかにおけるような装置。
【００６５】
２９．  前記パイロット・シンボルがＤＰＣＣＨパイロット・シンボルである実施形態２２〜２７の何れかにおけるような装置。
【００６６】
３０．  前記受信機がＤＰＣＣＨパイロット・シンボルを受信するようにさらに構成されることであって、前記ＤＰＣＣＨパイロット・シンボルが、実数部および虚数部を有する複素表示にて表される実施形態２２〜２９の何れかにおけるような装置。
【００６７】
３１．  ＤＰＣＣＨパイロット・シンボルの複素共役に前記受信されたＤＰＣＣＨパイロット・シンボルを乗ずることによってＤＰＣＣＨシンボル・エネルギーを前記実数部に変換するために第２の乗数器を具備する実施形態３０の装置。
【００６８】
３２．  変換の後に前記ＤＰＣＣＨパイロット・シンボルの前記実数部からＤＰＣＣＨ信号電力を計算するために第３の電力計算ユニットを具備する実施形態３１の装置。
【００６９】
３３．  前記ＣＰＩＣＨ雑音電力に換算率を乗ずるための第３の乗算器を具備することであって、前記換算率がＣＰＩＣＨ拡散率およびＤＰＣＣＨ拡散率の比率である実施形態２８〜３２の何れかにおけるような装置。
【００７０】
３４．  前記ＤＰＣＣＨ信号電力を前記換算されたＣＰＩＣＨ雑音電力により除することによってＤＰＣＣＨ  ＳＩＲを計算するための第２の除算器を具備する実施形態３３の装置。
【００７１】
特徴および要素が上で特定の組み合わせにて記述されているが、それぞれの特徴または要素は、他の特徴および要素なしで単独にて、または他の特徴および要素のあるなしに拘わらず様々な組み合わせにて使用可能である。ここに提供される方法またはフロー図は、汎用目的のコンピューターまたは処理装置による実行のための、コンピューターにて読み取り可能な記憶装置媒体に組み込まれたコンピューター・プログラム、ソフトウェア、またはファームウェアにて実施することができる。コンピューターにて読み取り可能な記憶装置媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００７２】
適当な処理装置の例としては、汎用目的処理装置、専用目的処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【００７３】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー機器）、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶表示）表示ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、ならびに／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールまたはＵＷＢ（Ｕｌｔｒａ  Ｗｉｄｅ  Ｂａｎｄ：超広帯域）モジュールなどのモジュールと連動して使用することができる。
【図１】
0005564438.tif 000005
【図２】
0005564438.tif 000006
【図３】
0005564438.tif 000007
【図４】
0005564438.tif 000008
【図５】
0005564438.tif 000009